(57)【要約】      （修正有）【課題】通水されている状態での保温効果の低下を抑制し、通水されてない状態での通水部の破裂、及び、融解や熱融着を抑制し得る散水チューブを提供する。【解決手段】内部に水が通水されることによって環状となり、且つ、内部の水を外部に噴出させる複数の散水孔１３が形成された通水部１１と、通水部１１から互いに反対方向に突出している２つのフィン部２１とを備え、天井に支持されている状態で、２つのフィン部２１が鉛直方向に沿って配され、天井に支持され、且つ、通水部１１の内部に通水されている状態で、水平方向よりも下側に向けて散水されるように、通水部１１の中心よりも下側に、複数の散水孔１３が形成されている、散水チューブ１０。【選択図】図３
2019054776.tif 000002
【特許請求の範囲】
【請求項１】
農業用ハウスの天井に支持される散水チューブであって、
内部に水が通水されることによって環状となり、且つ、前記内部の水を外部に噴出させる複数の散水孔が形成された通水部と、
前記通水部から互いに反対方向に突出している２つのフィン部とを備え、
前記天井に支持されている状態で、前記２つのフィン部が鉛直方向に沿って配され、
前記天井に支持され、且つ、前記通水部の内部に通水されている状態で、水平方向よりも下側に向けて散水されるように、前記通水部の中心よりも下側に、前記複数の散水孔が形成されている、散水チューブ。
【請求項２】
前記農業用ハウスは、該農業用ハウスの内部空間を覆う内側のシート部材と、前記内側のシート部材を、外側から前記内側のシート部材と間隔を空けて覆う外側のシート部材とを有しており、
前記内側のシート部材の上部及び前記外側のシート部材の上部が、前記天井を形成しており、
前記外側のシート部材と前記内側のシート部材との間に支持される、請求項１に記載の散水チューブ。
【請求項３】
前記通水部の内部に通水されている状態で、前記複数の散水孔の内周面が前記通水部の外側から内側に向かう程先細りになるように、前記複数の散水孔が形成されている、請求項１または２に記載の散水チューブ。
【発明の詳細な説明】
【技術分野】
【０００１】
本発明は、散水チューブに関する。
【背景技術】
【０００２】
従来、農業の施設園芸等においては、いわゆるビニールハウス等の農業用ハウスを用いて野菜等の栽培が行われている。
【０００３】
かかる農業用ハウスでは、外部の環境温度に起因してハウス内の温度が低下し過ぎると、野菜等の生育に悪影響を及ぼすおそれがある。特に、冬季には、ハウス内の温度が低下し易い。
【０００４】
そこで、農業用ハウスに、その内部空間を覆う内側のシート部材と、該内側のシート部材を、外側から該内側のシート部材と間隔を空けて覆う外側のシート部材とを設け、外側のシート部材と内側のシート部材との間に位置するように、外側のシート部材の天井から散水チューブを吊り下げて設置し、散水チューブに地下水を供給し、散水チューブから、２つのシート部材に挟まれた空間に、年間を通じて概ね１３〜１４℃程度の安定した温度を示す地下水を散水することが行われている。かかる空間に散水チューブから散水することは、ウォーターカーテンと呼ばれている。
【０００５】
例えば、冬季の昼間には、太陽光の照射等によって地上の温度の方が地下水の温度よりも高くなる。一方、夜間には、冷え込みによって地上の温度よりも地下水の温度の方が高くなる。よって、夜間に散水チューブから、上記２つのシート部材間の空間に、外気より高温の地下水を散水することによって、ハウス内の温度の低下を抑制することができる（保温効果）。逆に、昼間には散水チューブへの地下水の供給を停止する。このように散水する方法によれば、ハウス内の夜間暖房を目的としたストーブなどに比べて燃料が不要となるため、省エネルギー・省コストとなる。
【０００６】
この種のウォーターカーテンに使用される散水チューブとして、例えば、塩化ビニル製の通水部や、繊維補強製の通水部といった硬質の（通水によって形状が変化しない）通水部にノズル部材が取り付けられたものが、設置されている（第１の従来の散水チューブ）。かかる散水チューブでは、チューブ内の水を外部に散水するノズル部材は、通水部としてのチューブに適当な間隔で穴を開けて取り付けられ、ノズル部材の全周側に向けて放射状に、または、チューブの一方向（例えば両側）に向けて扇型状に水平方向に散水を行う。このノズル部材は、通水部の中心（すなわち、通水部の中心を通って水平方向に沿った仮想平面）よりも上側、具体的にはチューブの頂上付近に位置するように設置される。
【０００７】
かかる散水チューブでは、通水部は硬いため、ハウスの天井から吊り下げて設置するためには労力とコストがかかるばかりか、散水チューブ自身のコストも大きい。また、通水部の形状は、通水、及び、通水の停止によって変化しない。よって、通水部への通水が停止しても、通水部の内部の水をノズルから排出するための圧力が生じず、通水部の内部から水が排出され難い。
【０００８】
一方、上記散水チューブとしては、例えば、通水部としてのチューブに複数の散水孔が形成された、低密度ポリエチレンといった軟質の（通水によって環状に膨らみ、通水の停止によって平坦になる）通水部と、通水部から互いに反対方向に突出しているフィン部とを備えたものも設置されている（第２の従来の散水チューブ）。かかる軟質の散水チューブでは、２つのフィン部が水平方向に位置するように設置され、且つ、通水部に通水されている状態で、通水部の中心よりも下側に少なくとも散水孔が位置するように形成されて、天井に設置されている（特許文献１参照）。
【０００９】
かかる散水チューブでは、通水部は軟らかいため、その形状は、通水によって膨らんで環状となる。一方、通水の停止によって水圧が無くなると、下側の散水孔から水が排出され、水が排出された分だけ、通水部の容積が小さくなる結果、通水部が萎んで平板状に近づく。
【先行技術文献】
【特許文献】
【００１０】
【特許文献１】特開２０００−１７６３１９号公報
【発明の概要】
【発明が解決しようとする課題】
【００１１】
しかし、上記第１の従来の散水チューブでは、通水部への通水を停止したとき、通水部の内部に水が残ることになる。例えば、ハウス内の農作物の収穫後といった場合には、地下水の通水が不要になるため、通水部への通水を停止することになり、この場合には、通水部の内部に水が残ることになる。しかし、この水が残ったままハウス内の温度が０℃以下に低下すると、残った水が凍結し、これによって通水部が破裂するおそれがある。
【００１２】
特に、塩化ビニル製の硬質なパイプを通水部として使用する場合には、長期間にわたって通水を継続すると、吊り下げによって支持されている部分の間の通水部が、通水部内の水の重量及びパイプ自身の重量に起因して、下方にクリープ変形する現象が発生し易くなる。通水部がクリープ変形すると、それに応じてノズル部材の向きが変化し、一部のノズル部材からの散水方向が、より上方に向くように傾く結果、かかるノズル部材から散水された水が、外側のシート部材に当たるようになる。このように外側のシート部材に当たった水が夜間に凍結すると、ツララ（氷柱）が形成される。一旦形成されたツララが、日中に、日光によって溶解すると、落下し、内側のシート部材上に落下して、該内側のシート部材に穴を開ける場合がある。内側のシート部材に穴が開くと、この穴を通って、夜間に散水された水が農作物上に落下し、その結果、農作物に病気の発生や品質低下・収穫量の低下といった悪影響を招くといった問題が発生するおそれがある。
【００１３】
上記第２の従来の散水チューブでは、通水部への通水を停止したとき、通水部の表面に形成された散水孔から水が排出され、通水部が重なるように平板状に近い状態になるため、通水部に残る水の量が少なくなる。よって、この残った水が凍結して膨張しても、通水部内の許容容積（破裂する限界の容積）を超えることはなく、よって、通水部が破裂するおそれは低い。
【００１４】
しかし、通水部から水が排出される際、通水部が水平に沿った平板状に近くなって底面に相当する領域が増えると共に、通水部内の水が底面に向かって流れる。このため、通水部内の水の量が減っても、散水孔が通水部の底面に多く配置されることになり、また、この底面に水が集まることになり、これらに起因して、水が排出される散水孔の数量自体は大きく減少しないことになる。
【００１５】
ここで、通水される水は、地下水等であり、この水には、微小な砂等の異物が混じっていることが多い。
この異物は、水の流れに随伴し、散水孔が多く配置された底面に広がることになる。さらに、通水部の底面に存在する散水孔からの排水の流れと共に、水中の異物が散水孔を通過しようとする。
この通過の際、散水孔の孔径に近いサイズの異物は、散水孔に詰まるおそれがある。
そして、一旦、散水孔に異物が詰まると、散水孔としての機能を果たすことができなくなり、その結果、夜間の保温効果が低下する。
このような異物は、通常、通水部に通水する前にフィルター等によって濾過されるものの、異物を完全に濾別することは困難であるため、通水される地下水には、数１００μｍ以下程度の粒径の異物が、微量含まれ得る。
【００１６】
一方、通水部の内部の水が排出され、通水部が平坦状になった場合においては、通水していない日中に、太陽光が当たる側（上側）の通水部の表面に、通水部を構成している材料が融解して凸凹状に変形したり、重なり合った通水部の上側と下側とが接触しつつ融解し、両者が融着する現象が発生したりする場合がある。
特に、通水部の重なり合った部分が融着した場合、太陽が沈んで冷却された後、夜間に再度通水しても、通水部が十分に開かず、その結果、通水部を流れる水の流量が低下して、夜間の保温効果が十分に得られないおそれがある。
また、このような融解や融着は、特に散水チューブが天井に設置されている場合に発生し、散水チューブが農業用ハウスの側部に設置されている場合にはほとんど発生しない。
【００１７】
このように、通水されている状態では、ツララの発生や散水孔の目詰まりの発生等に起因する夜間の保温効果の低下するおそれがあり、通水されていない状態では、凍結等に起因する通水部の破裂が生じたり、日中に太陽光が当たることに起因する通水部の融解や熱融着が生じたりするおそれがある。そこで、これらを抑制することが、要望されている。
【００１８】
上記事情に鑑み、本発明は、通水されている状態での保温効果の低下を抑制し、通水されてない状態での通水部の破裂、及び、融解や熱融着を抑制し得る散水チューブを提供することを課題とする。
【課題を解決するための手段】
【００１９】
上記課題を解決すべく、本発明者らが鋭意研究したところ、以下の知見を見出した。
【００２０】
すなわち、第１の従来の散水チューブでは、通水部の中心よりも上側にノズル部材が位置し、しかも、通水部が萎まないため、排水機構による水の排出作業を怠ると、通水部の内部でノズルから水を排出するために必要な圧力が十分に発生しない。このことが原因となって、通水部の内部に水が残り、この水が凍結によって膨張し、硬質な材料で形成される通水部を破裂させると考えられる。
【００２１】
ここで、ノズル部材から水を排出すべく、通水部の中心よりも下側に散水孔を形成することも考えられる。
しかし、この場合には、通水している際に、地下水といった水に含まれる、砂等の比重が水より大きい異物がノズル部材を通過することになるため、このような異物が詰まってノズル部材の閉塞が起き易くなる。
一方、通水を停止すると、一定間隔で設置されたノズルから集中的に水がボタ落ちするという不具合が生じるおそれがある。
そこで、この水のボタ落ちを抑制すべく、一定の水圧を越えると開くバルブをノズルに設けることも考えられる。
しかし、この場合には、通水を停止したときに排水機構による水の排出を怠ると、通水部内の水は全く排出されないことになるため、かえって、通水部の内部に残る水の量が増え、通水部が破裂し易くなるおそれがある。
【００２２】
上記の原因によって、第１の従来の散水チューブでは、通水が停止している状態で通水部が破裂するおそれがあることを見出した。
【００２３】
このように硬質な通水部を有する第１の従来の散水チューブでは、通水を停止しても通水部の形状が変化しないため、通水部が重なり合うことがなく、通水部に融着は発生し難い。
【００２４】
一方、軟質な通水部を有する第２の従来の散水チューブでは、通水を停止すると、通水部に形成されている多数の散水孔のうち、下側の散水孔から自然に内部の水が排水され、これによって、前述した通り、円柱状であった通水部が、重ね合わされるように平担状に近づく。
このため、凍結による破裂のおそれは少ない。
しかし、第２の従来の散水チューブは、２つのフィン部が水平方向に沿って配置されているため、前述した通り、排水の過程で、通水部が水平に沿った平板状に近づくことによって、水中に含まれる、比重が水より大きな異物が、特に通水部の底面側に位置する散水孔に詰まるおそれがある。
【００２５】
また、通水部の内部の水がさらに排出されると、通水部が水平方向に沿った平坦状に重なり合う。この状態で放置されると、原因は定かではないが、昼間の太陽光の照射によって重なり合った部分が融解し、ひいては熱融着する場合がある。
具体的には、晴天の条件下、外側のシート部材上に水が付着していない条件下で、ハウス内において、通水部が水平方向に沿うように重ね合わされて平坦状となった第２の従来の散水チューブの温度を測定する実験を行った。その結果、日中、太陽が最も高い高度に位置し、日射量が最も高くなる正午前後には、通水部の上側の表面の温度は、６０〜７０℃前後まで上昇する場合があることがわかった。
ここで、上記第２の従来の散水チューブにおいて、通水部に一般的に使用される低密度ポリエチレン系樹脂の結晶融点は１１０℃〜１３０℃あり、上記の程度の表面温度の上昇では、通水部に、融解や変形などの悪影響を及ぼすことは考え難い。
しかし、一般に、ハウスの形状や夜間の結露水の量・降雨などの気象条件に起因して外側のシート部材上に水が溜まる場合があり、この溜まった水が太陽光を収れんさせるレンズの働きを担うことによって、ハウス内で収れん火災が発生したという報告がなされている。
このことを考慮すると、原因は定かではないが、外側シート等の天井部に発生した水溜まりが、日射量が大きい正午前後に、通水部の表面に太陽光を集光させることによって、スポット的に通水部の融解や融着が発生する可能性があると推測される。
【００２６】
一方、散水チューブを、農業用ハウスにおける鉛直方向に延びる支柱といった側部に、フィン部が水平方向に沿うように設置することが一般に行われているが、このように水平方向に沿うように設置しても、通水部の融解や融着はほとんど発生しない。この理由としては、散水チューブを側部に設置した場合には、排水によって水平方向に沿った平坦状になっても、散水チューブに太陽光が集光し難いことによるものと考えられる。
このように、通水部の融解や融着は、２つのフィン部の配置によらず、散水チューブが天井に設置された場合に特有に生じ得る。
【００２７】
これら知見に基づいて本発明者らがさらに鋭意研究したところ、軟質な通水部、すなわち、通水されて環状となる通水部と、２つのフィン部とを有する散水チューブを、２つのフィン部が鉛直方向に沿って位置されるように設置し、且つ、通水されている状態で、水平方向よりも下向きに散水するように通水部の中心よりも下側に散水孔を形成することによって、通水されている状態では、ツララの発生や散水孔の目詰まりの発生等に起因する夜間の保温効果の低下を抑制することができ、通水されていない状態では、凍結等に起因する通水部の破裂が生じることや、日中に太陽光が当たることに起因する通水部の融解や熱融着が生じることを抑制し得ることを、見出した。
【００２８】
そして、本発明者らは、上記知見に基づいてさらに鋭意研究して、本発明を完成するに至った。
【００２９】
すなわち、本発明に係る散水チューブは、
農業用ハウスの天井に支持される散水チューブであって、
内部に水が通水されることによって環状となり、且つ、前記内部の水を外部に噴出させる複数の散水孔が形成された通水部と、
前記通水部から互いに反対方向に突出している２つのフィン部とを備え、
前記天井に支持されている状態で、前記２つのフィン部が鉛直方向に沿って配され、
前記天井に支持され、且つ、前記通水部の内部に通水されている状態で、水平方向よりも下側に向けて散水されるように、前記通水部の中心よりも下側に、前記複数の散水孔が形成されている。
【００３０】
ここで、「通水部の中心よりも下側」とは、「通水部の中心を通って水平方向に沿った仮想平面よりも下側」を意味する。
【００３１】
かかる構成によれば、天井に支持され、且つ、通水部の内部に通水されている状態で、水平方向よりも下側に向けて散水されるように、前記通水部の中心よりも下側（すなわち、下半分）に複数の散水孔が形成されていることによって、通水が停止すると、通水部の下半分に形成された散水孔から水が排水されるため、通水部から水を十分に排出することができる。
よって、凍結によって通水部が破裂することを抑制し得る。
【００３２】
また、天井に支持されている状態で、２つのフィン部が鉛直方向に沿って配されることによって、通水が停止されて、通水部が重ね合わされるように（通水前の形状となるように）、平坦状に萎んでも、２つのフィン部によって姿勢が保たれ、これによって、通水部が下側に突出するように撓むことを抑制することができる。通水が停止されると、通水時には環状であった通水部の断面形状は、上下に存在するフィン部を結ぶ鉛直線に近づくように左右（水平方向における鉛直線よりも両外側）の膨らみが少なくなり、最終的に、左右の部分が、完全ではないが、鉛直に延びる平板状に近い平坦状となる。
【００３３】
ここで、通水時には、水に含まれる、比重が水よりも大きな異物は、水の流れによって掻き混ぜられながら通水部を流れる。この際、異物は、その自重に起因して、通水部内に均一に分布しない。また、粒子径が大きい異物ほど、沈降速度が大きくなるため、より下方に分布するものと推測される。
【００３４】
一方、通水を停止した後には、散水孔から水が排水され、通水部の形状が縦長になる際に、粒子径が大きく、それゆえ沈降速度が大きな異物ほど、早期に通水部内の最下端に堆積する。すなわち、通水部における、通常は散水孔が形成されない２つのフィン部が形成された領域のうち、下側のフィン部が形成された領域の付近に堆積する。これによって、散水孔を閉塞する原因となる、比較的大きな異物は、排水の過程において、通水部における散水孔が形成されていない領域に濃縮貯蔵されることになる。このように貯蔵された異物は、散水孔に向かう水の流れに追随し難い。よって、上記異物が散水孔を閉塞する確率が、低下するため、これに起因する保温効果の低下が抑制される。
【００３５】
また、排水によって、通水部の形状が、鉛直に延びる平板状に近くなる。これによって、日中、日射量が最大になる正午前後に、水平に延びる平板状に設置された場合よりも、太陽光に対する通水部の表面の角度が小さくなる。よって、仮に、ハウスの天井に水溜まりが形成され、この水溜まりによるレンズ効果によって形成される太陽光の焦点が、通水部の表面に合致したとしても、太陽光による輻射エネルギーの、通水部の表面に伝達される密度が小さくなる。すなわち、通水部の表面が吸収する熱エネルギーが低減される。その結果、通水部の表面の温度上昇が抑制される。
よって、通水部の融解や熱融着を抑制することができるため、これに起因する保温効果の低下が抑制される。
【００３６】
このように、通水されている状態での保温効果の低下を抑制し、通水されてない状態での通水部の破裂、及び、融解や熱融着を抑制し得る。
【００３７】
上記構成の散水チューブにおいては、
前記農業用ハウスは、該農業用ハウスの内部空間を覆う内側のシート部材と、前記内側のシート部材を、外側から前記内側のシート部材と間隔を空けて覆う外側のシート部材とを有しており、
前記内側のシート部材の上部及び前記外側のシート部材の上部が、前記天井を形成しており、
前記外側のシート部材と前記内側のシート部材との間に支持されることが好ましい。
【００３８】
かかる構成によれば、外側のシート部材と内側のシート部材との間に位置するように散水チューブが支持されることによって、シート部材同士の間の空間に散水チューブを介して通水することができる。
これにより、農業用ハウスの内部の農作物を育成するための空間に直接散水することなく、該内部空間の温度を調整することができる。
例えば、冬季の夜間に、地下水といった外部環境よりも温度が高い水を、上シート部材同士の間に散布することができ、これにより、農業用ハウスの内部空間の温度を上昇させる（保温する）ことができる。
そして、このような内側及び外側のシート部材を有する場合において、通水されている状態での保温効果の低下を抑制し、通水されてない状態での通水部の破裂、及び、融解や熱融着を抑制し得るため、散水チューブが、より有用なものとなる。
ここで、前述したように、上記内側及び外側のシート部材が備えられている場合においては、散水孔が通水部の中心よりも上側に形成されていると、散水孔から噴出された水が外側のシート部材に衝突し、特に冬季には、この外側のシート部材に衝突した水が、ツララに成長するおそれがある。この場合、昼間の太陽光の照射によってツララが落下すると、落下したツララが内側のシート部材を突き破り、その結果、農業用ハウスの内部空間の保温効果を低下させるおそれがある。
しかし、このような場合において、散水孔が通水部の中心よりも下側に形成されているため、散水孔から噴出された水が外側のシート部材に向かって飛翔することを抑制することができる。よって、上記のような保温効果の低下を、抑制し得る。
【００３９】
上記構成の散水チューブにおいては、
前記通水部の内部に通水されている状態で、前記複数の散水孔の内周面が前記通水部の外側から内側に向かう程先細りになるように、前記複数の散水孔が形成されていることが好ましい。
【００４０】
ここで、通水部の内部に供給された水に異物が混入していると、異物が散水孔に侵入し、散水孔が詰まってしまうおそれがある。
しかし、上記構成によれば、内周面が外側から内側に向かう程先細りになるように複数の散水孔が形成されていることによって、異物が散水孔に入り込むことを、内周面が内側から外側に向かう程先細りとなっている散水孔や、内周面の径が内側から外側まで一定になっている散水孔よりも、抑制し得る。
特に、上記内側及び外側のシート部材が備えられ、この２つのシート部材間に通水部が設置される場合には、散水孔に異物が侵入して散水孔が閉塞されたたとき、散水チューブを交換することは非常に手間である。しかし、上記のように異物の侵入が抑制されるため、このような交換の手間が低減される。
【発明の効果】
【００４１】
以上の通り、本発明によれば、通水されている状態での保温効果の低下を抑制し、通水されてない状態での通水部の破裂、及び、融解や熱融着を抑制し得る散水チューブが提供される。
【図面の簡単な説明】
【００４２】
【図１】本発明の一実施形態の散水チューブが農業用ハウスに設置された状態の一例を示す概略側面図
【図２】本実施形態の散水チューブを示す概略斜視図
【図３】本実施形態の散水孔（垂直散水孔）を有する散水チューブの垂直断面を示す概略図
【図４】図３の垂直散水孔から水が噴出される状態を模式的に示す概略図
【図５】本実施形態の散水チューブの、通水されていない状態を示す概略側面図
【図６】本実施形態の散水チューブの、通水されていない状態を示す概略斜視図
【図７】実施例１、２、比較例１の散水チューブを設置したときの、農業用ハウス内の温度推移を示すグラフ
【発明を実施するための形態】
【００４３】
以下、本発明の一実施形態の散水チューブについて、図面を参照しながら説明する。
【００４４】
図１〜４に示すように、本実施形態の散水チューブ１０は、
農業用ハウス１の天井３に支持される散水チューブ１０であって、
内部に水が通水され、且つ、前記内部の水を外部に噴出させる複数の散水孔１３が形成された通水部１１と、
前記通水部１１から互いに反対方向に突出している２つのフィン部２１とを備え、
前記天井３に支持されている状態で、前記２つのフィン部２１が鉛直方向（図１〜図３の上下方向）に沿って配され、
前記天井３に支持され、且つ、前記通水部１１の内部に通水されている状態で、水平方向（図１、３の左右方向）よりも下側に向けて散水されるように、前記通水部１１の中心Ｏよりも下側（すなわち、前記通水部１１の中心Ｏを通って水平方向に沿った仮想平面Ｓよりも下側）の位置に、前記複数の散水孔１３が形成されている。
【００４５】
散水チューブ１０は、農業用ハウス１の天井３に設置される。
本実施形態では、農業用ハウス１は、農業用ハウス１の内部空間を覆う内側のシート部材５と、該内側のシート部材５を、外側から、該内側のシート部材５と間隔を空けて覆う外側のシート部材７とを有している。
この場合、前記内側のシート部材５及び外側のシート部材７の上部５ａ、７ａが、前記天井３を形成している。
前記散水チューブ１０は、前記外側のシート部材７と前記内側のシート部材５との間に位置するように支持される。例えば、外側のシート部材７の上部７ａに治具を介して吊り下げられて支持されたり、内側のシート部材５の上部５ａに治具を介して支持されたりする。
【００４６】
図１に示す態様では、散水チューブ１０は、長手方向に間隔を空けて配された懸吊用治具９を介して、天井３（ここでは外側のシート部材７の上部７ａ）から吊り下げられる。
【００４７】
図２〜図４に示すように、散水チューブ１０は、内部に水が通水されるように形成され、且つ、前記内部の水を外部に噴出させる複数の散水孔１３が形成された通水部１１を備えている。
散水チューブ１０から噴出された水は、内側のシート部材５上に落下し、該内側のシート部材５上をつたって地面に排水される。
【００４８】
通水部１１は、内部に水が通水され、複数の散水孔１３から水を噴出するものである。
通水部１１の内部には、不図示の給水装置から水が供給される（通水される）ようになっている。
供給される水としては、地下水や水道水が挙げられる。
なお、通水されていない場合には、散水チューブ１０は、図５、図６のように萎んで平坦な状態となっている。
一方、通水部１１は、内部に通水された状態で、円筒状であるように形成されている。
【００４９】
通水部１１の厚みは、特に限定されないが、例えば、０．１〜５．０ｍｍが好ましく、０．１５〜４．０ｍｍがより好ましく、０．１５〜３．０ｍｍがさらに好ましい。
通水部１１の厚みが０．１ｍｍ未満であると、通水部１１の内部に注水し、加圧したときに、通水部１１の変形や破裂を起こすおそれがある。これに対し、通水部１１の厚みが０．１ｍｍ以上であることによって、このような変形や破裂を抑制し得る。
通水部１１の厚みが５．０ｍｍを超えていると、通水部１１の剛性や重量が増加し過ぎることになり、通水部１１の巻き取りや、通水部１１に散水孔１３を形成するための穿孔が困難となるおそれがある。これに対し、通水部１１の厚みが５．０ｍｍ以下であることによって、剛性や重量が増加し過ぎることを抑制することができ、これにより、通水部１１の巻き取りや穿孔が困難となることを抑制し得る。
【００５０】
通水されている状態での通水部１１の内径（直径）は、５〜２００ｍｍが好ましく、１０〜１５０ｍｍがより好ましく、１５〜１００ｍｍがさらに好ましい。
内径が５ｍｍより小さいと、散水状態におけるチューブの長手方向の圧損が大きくなり、注水口から離れるとすぐに散水距離が短くなる不具合が生じる。一方、内径が２００ｍｍより大きくなると、同じ水圧で注水しても、比較的小さい内径のチューブに比べて強度的に破壊しやすくなり好ましくない。
【００５１】
複数の散水孔１３は、通水部１１から水が供給され、該通水部１１内の水圧によって、水を外部に噴出させるものである。
複数の散水孔１３は、通水部１１における、その中心Ｏを通って水平方向（図３の左右方向）に沿った仮想平面Ｓよりも下側に形成されている。
かかる複数の散水孔１３は、通水部１１の周方向（ただし、仮想平面Ｓよりも下側）及び長手方向に所望のパターンで形成されている。
【００５２】
通水部１１の周方向における散水孔１３の位置（すなわち、長手方向と垂直な断面における位置）は、中心Ｏよりも下側（すなわち、上記仮想平面Ｓよりも下側）であれば、特に限定されず、適宜設定し得る。
すなわち、散水孔１３の位置は、上記中心Ｏから鉛直方向の下側に延びる仮想直線と、上記中心Ｏと散水孔の中心（外側開口の中心）とを結ぶ仮想直線とがなす角度θが、±９０°未満（すなわち、０°以上９０°未満及び−９０°を超えて０°以下の範囲内、さらに換言すれば、絶対値で０°以上９０°未満）であれば、特に限定されず、この範囲で適宜設定され得る。このうち、穿孔位置を示す角度θが、±５°よりも小さい場合には、目詰まりが起こり易くなる傾向にある。また、散水孔１３と内側のシート部材５との距離が短くなるため、散水された水が内側のシート部材５の極めて限定された範囲にしか広がらず、保温効率が低下する傾向にある。よって、目詰まりや保温効率の低下を抑制する観点を考慮すれば、角度θが、±５°以上であることが好ましく、±１０°以上であることがより好ましい。
例えば、散水孔１３の位置は、上記角度θが、絶対値で１５°以上８０°以下の範囲となる位置に設定され得る。
散水孔１３の位置が、この範囲内の位置であることによって、散水された水が天井３に当たってツララが発生することを抑制することができる。また、通水部１１の長手方向と垂直な方向に広く散水することができ、しかも、これによって、保温効率が向上する。
【００５３】
散水孔１３の形状は、特に限定されない。
例えば、本実施形態では、図３、図４に示すように、通水部１１の内部に通水されている状態で、散水孔１３の内周面１５が通水部１１の外側（表側）から内側（裏側）に向かう程（すなわち、水の通過方向の下流側から上流側に向かう程）先細りになるように、複数の散水孔１３が形成される。
【００５４】
例えば、散水孔１３としては、図３、図４に示すように、散水孔１３にて通水部と接する接線に対して垂直な方向（通水部１１の厚み方向）に延びる垂直散水孔１３ａが挙げられる。図４に示すように、垂直散水孔１３ａからは、その内側開口の中心及び外側開口の中心を通る仮想直線（不図示）を中心とする円錐状に水が噴出される。なお、散水孔１３の形状は特に限定されず、公知の散水孔の形状を採用することができる。
例えば、散水孔１３の横断面（通水部１１の厚み方向と垂直な方向に沿った断面）の形状は、円状の他、楕円状でもスリット状であっても良い。
散水孔１３の縦断面（通水部１１の厚み方向に沿った断面）の形状は、水平方向よりも下側に散水されるように、適宜設定され得る。
【００５５】
本実施形態では、上記平面状態での散水孔１３（垂直散水孔１３ａ）の外側開口の孔径（直径）は、通水部１１の外側から内側までの内周面１５（１５ａ）のうち、最も広い部分の孔径である。かかる外側開口の孔径は、上記のように最も大きい孔径であれば、特に限定されるものではないが、例えば、通水部１１の内部に通水されていない状態で、０．０６〜５．０ｍｍが好ましい。
散水孔１３の外側開口の孔径が５．０ｍｍを超えると散水孔１３に流入する水の流量が増えるため、通水部１１の長尺性が悪くなるという不具合が生じるおそれがある。
散水孔１３の外側開口の孔径が０．０６ｍｍ未満であると、散水孔１３に砂等の異物が入り、目詰まりを起こすという不具合が生じるおそれがある。
これに対し、散水孔１３の外側の孔径が０．０６〜５．０ｍｍであることによって、上記の不具合が抑制される。
なお、上記孔径とは、また、各開口の形状が真円でない場合には、各開口の面積と同じ面積を有する真円の直径に換算した値を意味する。
【００５６】
上記平面状態での散水孔１３（垂直散水孔１３ａ）の内側開口の孔径（直径）は、通水部１１の外側から内側までの内周面１５（１５ａ）のうち、最も狭い部分の孔径である。かかる内側開口の孔径は、上記のように最も小さい孔径であれば、特に限定されるものではないが、例えば、通水部１１の内部に通水されていない状態で、０．０５〜２．０ｍｍが好ましい。
散水孔１３の内側開口の孔径が２．０ｍｍを超えると、散水孔１３に流入する水の流量が増えるため、通水部１１の長尺性が悪くなるという不具合が生じるおそれがある。
散水孔１３の内側開口の孔径が０．０５ｍｍ未満であると、散水孔１３に砂等の異物が入り、目詰まりを起こすという不具合が生じるおそれがある。
これに対し、散水孔１３の内側開口の孔径が０．０５〜２．０ｍｍであることによって、上記の不具合が抑制される。
【００５７】
上記平面状態での散水孔１３（垂直散水孔１３ａ）における内側開口の孔径（直径）と外側開口の孔径（直径）の比は、特に限定されるものではないが、例えば、１：１．１から１：２０までの範囲（内側開口の孔径：外側開口の孔径＝１：１．１〜１：２０）内で孔径が調整されることが好ましい。
【００５８】
散水チューブ１０は、該散水チューブ１０が設置されて通水部１１の内部に通水されている状態で、通水部１１から互いに反対方向に突出する２つのフィン部２１を備える。２つのフィン部２１は、通水部１１における互いに最も離れた両端部からそれぞれ突出している。
【００５９】
かかるフィン部２１を備えることによって、通水部１１が長手方向において撓み難くなる。
【００６０】
通水部１１及びフィン部２１の材質は、特に限定されるものではない。これらの材質として、例えば、樹脂、ゴム、金属等が挙げられる。これらのうち、低コストで容易に通水部１１に散水孔１３の形成、及び、フィン部２１の形成を行うことができ、散水チューブ１０が軽量となり、使用時の巻取性が優れるものとなるような材質が好ましい。かかる観点から、上記材質は、樹脂が好ましい。このような樹脂としては、ポリエチレンやポリプロピレン等のポリオレフィン系樹脂、ポリカーボネートやポリエチレンテレフタレレート等のポリエステル系樹脂などが挙げられる。これらのうち、ポリエチレンが好ましく、該ポリエチレンとしては、低密度ポリエチレン及び高密度ポリエチレンが挙げられる。特に、例えば３０℃以上、且つ、０．３０ＭＰａ以上といった、より高温・高圧の環境下で散水チューブ１０を使用する場合に、その環境に耐え得る点で、低密度ポリエチレンと高密度ポリエチレンとの組み合わせが好ましい。また、樹脂製の通水部１１にレーザー光の照射によって穿孔する場合には、かかる樹脂にカーボンブラックを添加することが好ましく、これにより、通水部１１がレーザー光のエネルギーを吸収し易くなるため、穿孔が容易となる。
【００６１】
本実施形態の散水チューブ１０においては、散水孔１３の数量は、特に限定されない。
【００６２】
また、散水孔１３が、上記した垂直散水孔１３ａのみであっても、非垂直散水孔（不図示）のみであっても、これらの組み合わせであってもよい。
【００６３】
さらに、複数の散水孔１３には、上記のように内周面が外側から内側に向かう程先細りになるように形成された散水孔１３以外の散水孔が含まれていてもよい。
【００６４】
散水チューブ１０の製造方法は、特に限定されるものではない。
例えば、図７及び図８に示すように、
上記したような樹脂を原料として形成された２つの長尺の原反シート１７を用い、
２つの原反シート１７の少なくとも一方に、一面側から他面側に向かって穿孔することによって、複数の散水孔１３を形成する工程と、
上記２つの原反シート１７を重ね合わせて両端部をヒートシールする工程とを行うことによって、
散水孔１３を有する通水部１１と、フィン部２１とを備えた散水チューブ１０を製造し得る。
【００６５】
例えば、２つの原反シート１７の少なくとも一方に、一面側から他面側に向かって穿孔することによって、上記一面側の開口の方が、上記他面側の開口よりも大きくなるように複数の散水孔１３を形成する工程と、
上記他面側の開口が内側に位置するように上記２つの原反シート１７を重ね合わせて両端部をヒートシールする工程とを行うことによって、
図３、図４に示すように、内周面１５が外側から内側に向かう程先細りになるように形成された散水孔１３を有する通水部１１と、フィン部２１とを備えた散水チューブ１０を製造し得る。
この他、押出機の先端に、円筒スリット形状の開口部を有するダイスを鉛直方向上向きまたは下向きに装着し、このダイスが装着された押出機を用いて樹脂製の筒状チューブを作成し、所定の位置に散水孔１３を穿孔した後、二つ折りにし、両端部をヒートシールすることによって、散水チューブ１０を製造することもできる。
【００６６】
上記穿孔する方法としては、例えば、通水部１１にレーザー光の照射を行うことが挙げられる。また、この他、ドリル、ポンチ、刃物、穿孔用針等を用いて穿孔を行う方法等も挙げられる。
【００６７】
本実施形態の散水チューブ１０を用いることによって、散水を行うことができる。
すなわち、本実施形態の散水方法は、本実施形態の散水チューブ１０を用いて散水を行う方法である。
【００６８】
具体的には、上述の通り、散水チューブ１０が設置された農業用ハウス１において、不図示の給水部から散水チューブ１０に水を供給することによって、散水チューブ１０の散水孔１３から水を噴出させて、散水を行う。
本実施形態では、内側のシート部材５と外側のシート部材７との間の空間内にて、散水を行う。
【００６９】
散水チューブ１０の通水部１１に通水されている状態での通水部１１内の水の圧力（給水圧力）は、０．０５ＭＰａ〜１．０ＭＰａが好ましく、０．０５ＭＰａ〜０．６０ＭＰａがより好ましい。
【００７０】
上記の通り、本実施形態の散水チューブ１０は、
農業用ハウス１の天井３に支持される散水チューブ１０であって、
内部に水が通水されることによって環状となり、且つ、前記内部の水を外部に噴出させる複数の散水孔１３が形成された通水部１１と、
前記通水部１１から互いに反対方向に突出している２つのフィン部２１とを備え、
前記天井３に支持されている状態で、前記２つのフィン部２１が鉛直方向に沿って配され、
前記天井３に支持され、且つ、前記通水部１１の内部に通水されている状態で、水平方向よりも下側に向けて散水されるように、前記通水部１１の中心Ｏよりも下側に、前記複数の散水孔が形成されている。
【００７１】
かかる構成によれば、天井３に支持され、且つ、通水部１１の内部に通水されている状態で、水平方向よりも下側に向けて散水されるように、前記通水部１１の中心Ｏよりも下側（すなわち、下半分）に複数の散水孔１３が形成されていることによって、通水が停止すると、通水部１１の下半分に形成された散水孔１３から水が排水されるため、通水部１１から水を十分に排出することができる。
よって、凍結によって通水部１１が破裂することを抑制し得る。
【００７２】
また、天井３に支持されている状態で、２つのフィン部２１が鉛直方向に沿って配されることによって、通水が停止されて、通水部１１が重ね合わされるように（通水前の形状となるように）平坦状に萎んでも、２つのフィン部２１によって姿勢が保たれ、これによって、通水部１１が下側に突出するように撓むことを抑制することができる。通水が停止されると、通水時には環状であった通水部１１の断面形状は、上下に存在するフィン部を結ぶ鉛直線に近づくように左右（水平方向における鉛直線よりも両外側）の膨らみが少なくなり、最終的に、左右の部分が、完全ではないが、鉛直に延びる平板状に近い平坦状となる。
【００７３】
ここで、通水時には、水に含まれる、比重が水よりも大きな異物は、水の流れによって掻き混ぜられながら通水部１１を流れる。この際、異物は、その自重に起因して、通水部１１内に均一に分布しない。また、粒子径が大きい異物ほど、沈降速度が大きくなるため、より下方に分布するものと推測される。
【００７４】
一方、通水を停止した後には、散水孔１３から水が排水され、通水部１１の形状が縦長になる際に、粒子径が大きく、それゆえ沈降速度が大きな異物ほど、早期に通水部１１内の最下端に堆積する。すなわち、通水部１１における、通常は散水孔１３が形成されない２つのフィン部２１が形成された領域のうち、下側のフィン部２１が形成された領域の付近に堆積する。これによって、散水孔１３を閉塞する原因となる、比較的大きな異物は、排水の過程において、通水部１１における散水孔１３が形成されていない領域に濃縮貯蔵されることになる。このように貯蔵された異物は、散水孔１３に向かう水の流れに追随し難い。よって、上記異物が散水孔１３を閉塞する確率が、低下するため、これに起因する保温効果の低下が抑制される。
【００７５】
また、排水によって、通水部１１の形状が、鉛直に延びる平板状に近くなる。これによって、日中、日射量が最大になる正午前後に、水平に延びる平板状に設置された場合よりも、太陽光に対する通水部１１の表面の角度が小さくなる。よって、仮に、ハウスの天井に水溜まりが形成され、この水溜まりによるレンズ効果によって形成される太陽光の焦点が、通水部１１の表面に合致したとしても、太陽光による輻射エネルギーの、通水部１１の表面に伝達される密度が小さくなる。すなわち、通水部１１の表面が吸収する熱エネルギーが低減される。その結果、通水部１１の表面の温度上昇が抑制される。
よって、通水部１１の融解や熱融着を抑制することができるため、これに起因する保温効果の低下が抑制される。
【００７６】
このように、通水されている状態での保温効果の低下を抑制し、通水されてない状態での通水部１１の破裂、及び、融解や熱融着を抑制し得る。
【００７７】
なお、ハウスの側壁に散水チューブが設置されている場合があるが、通常、このような位置には、夜間の保温効果を目的として設置されない。例えば、散水チューブを地面に設置する場合には、夜間の保温効果以外の他の目的（例えば、農作物への散水）で散水チューブを設置するが、このように地面に設置するのと同様の目的で、通常、ハウスの側壁に散水チューブが設置される。このように側部に設置する場合、２つのフィン部が鉛直方向に沿うように散水チューブを設置しても、通水部の溶融や融着はほとんど発生しない。
【００７８】
このようにハウスの側壁に散水チューブが設置される場合には、側壁は、通常、鉛直方向に沿って配されており、集光の原因となる水溜まりが発生し難い。また、側壁における天井に近い比較的高所に設置される場合であっても、通常、その傾斜が比較的大きいことから、集光の原因となる水溜りが発生し難い。さらに、連棟ハウス等の棟間の側壁においては、連棟ハウスの天井の谷部には、通常、雨樋が設置され、この雨樋によって日光が遮られることになる。このように、ハウスの側壁に散水チューブが設置される場合には、天井に近い高所に設置される場合も含めて、散水チューブに太陽光が集光し難いため、融着がほとんど発生しないものと考えられる。
【００７９】
また、前述したように、ハウスの側部に、２つのフィン部が水平方向に沿うように散水チューブを設置した場合においても、通水部の溶融や融着はほとんど発生しない。この理由としては、この場合においても、２つのフィン部が鉛直方向に沿うように散水チューブを設置した場合と同様、日光が遮られて散水チューブに太陽光が集光し難いことによるものと考えられる。
【００８０】
すなわち、ハウスの側部に散水チューブを設置した場合には、２つのフィン部を鉛直方向に沿うように設置しても、水平方向に沿うように設置しても、通水部の溶融や融着といった問題はほとんど発生しない。よって、通水部の融解や融着といった問題は、ハウスの天井に設置する場合に特有のものと考えられ、また、この点において、散水チューブを天井に設置する態様は、散水チューブを側部に設置する場合とは異なる。
【００８１】
本実施形態の散水チューブ１０においては、
前記農業用ハウス１は、該農業用ハウス１の内部空間を覆う内側のシート部材５と、前記内側のシート部材５を、外側から前記内側のシート部材５と間隔を空けて覆う外側のシート部材７とを有しており、
前記内側のシート部材５の上部及び前記外側のシート部材７の上部が、前記天井３を形成しており、
前記外側のシート部材７と前記内側のシート部材５との間に支持されることが好ましい。
【００８２】
かかる構成によれば、外側のシート部材７と内側のシート部材５との間に位置するように散水チューブ１０が支持されることによって、シート部材５、７同士の間の空間に散水チューブ１０を介して通水することができる。
これにより、農業用ハウス１の内部の農作物を育成するための空間に直接散水することなく、該内部空間の温度を調整することができる。
例えば、冬季の夜間に、地下水といった外部環境よりも温度が高い水を、上記シート部材５、７同士の間に散布することができ、これにより、農業用ハウス１の内部空間の温度を上昇させる（保温する）ことができる。
そして、このような内側及び外側のシート部材５、７を有する場合において、通水されている状態での保温効果の低下を抑制し、通水されてない状態での通水部１１の破裂、及び、融解や熱融着を抑制し得るため、散水チューブ１０が、より有用なものとなる。
ここで、前述したように、上記内側及び外側のシート部材５、７が備えられている場合においては、散水孔１３が通水部１１の中心Ｏよりも上側に形成されていると、散水孔１３から噴出された水が外側のシート部材７に衝突し、特に冬季には、この外側のシート部材７に衝突した水が、ツララに成長するおそれがある。この場合、昼間の太陽光の照射によってツララが落下すると、落下したツララが内側のシート部材５を突き破り、その結果、農業用ハウス１の内部空間の保温効果を低下させるおそれがある。
しかし、このような場合において、散水孔１３が通水部１１の中心よりも下側に形成されているため、散水孔１３から噴出された水が外側のシート部材７に向かって飛翔することを抑制することができる。よって、上記のような保温効果の低下を、抑制し得る。
【００８３】
本実施形態の散水チューブ１０においては、
前記通水部１１の内部に通水されている状態で、前記複数の散水孔１３の内周面１５が前記通水部１１の外側から内側に向かう程先細りになるように、前記複数の散水孔１３が形成されていることが好ましい。
【００８４】
ここで、通水部１１の内部に供給された水に異物が混入していると、異物が散水孔１３に侵入し、散水孔１３が詰まってしまうおそれがある。
しかし、上記構成によれば、内周面１５が外側から内側に向かう程先細りになるように複数の散水孔１３が形成されていることによって、異物が散水孔１３に入り込むことを、内周面が内側から外側に向かう程先細りとなっている散水孔や、内周面の径が内側から外側まで一定になっている散水孔よりも、抑制し得る。
特に、上記内側及び外側のシート部材５、７が備えられ、この２つのシート部材５、７間に通水部１１が設置される場合には、散水孔１３に異物が侵入して散水孔１３が閉塞されたたとき、散水チューブ１０を交換することは非常に手間である。しかし、上記のように異物の侵入が抑制されるため、このような交換の手間が低減される。
【００８５】
以上の通り、本実施形態によれば、通水されている状態での保温効果の低下を抑制し、通水されてない状態での通水部１１の破裂、及び、融解や熱融着を抑制し得る散水チューブ１０が提供される。
【００８６】
本実施形態の散水チューブは、上記の通りであるが、本発明は、上記実施形態に限定されず、本発明の意図する範囲内において適宜設計変更されることが可能である。
【００８７】
例えば、上記実施形態では、農業用ハウスとして、内側のシート部材と外側のシート部材とを備えた農業用ハウスを示した。しかし、その他、例えば、内側のシート部材が備えられておらず、外側のシート部材のみを備えた農業用ハウスや、内側のシート部材及び外側のシート部材に加えて、該外側のシート部材の外側に更なる外側のシート部材を備えた農業用ハウスや、該内側のシート部材の内側に更なる内側のシート部材を備えた農業用ハウス等も採用し得る。
例えば、上記実施形態では、散水孔として、内周面が外側から内側に向かう程先細りになるように形成された態様を示した。しかし、その他、例えば、内周面が内側から外側に向かう程先細りになるように形成された散水孔や、内周面の径が外側から内側まで一定になるように形成された散水孔等も採用し得る。
【実施例】
【００８８】
次に実施例を挙げて本発明を更に詳しく説明するが、本発明はこれらに限定されるものではない。
【００８９】
以下のように、散水チューブを製造し、得られた散水チューブを用いて評価試験を行った。
【００９０】
（実施例１）散水チューブの製造
・使用原料
密度０．９２５、ＭＦＲ０．８ｇ／１０ｍｉｎの低密度ポリエチレンに、この総質量に対してカーボンブラックを３質量％となるように混合した混合物を、原料として使用した。
【００９１】
・原反シートの製造
Ｔダイ押出機を用い、上記混合物をＴダイ押出機に投入して、厚み５５０μｍのシートに加工し、得られたシートを所定の幅となるように切断して２つのシート片を形成して、チューブ形成用の原反シートとした。
【００９２】
得られた２つのシート片について、各シート片の一面（Ａ面）側から他面（Ｂ面）側に向かって、ＹＡＧレーザーを照射することによって穿孔した。この穿孔によって、散水孔を、上記一面（Ａ面）側から上記他面（Ｂ面）側に向かって内周面が先細りになるように、且つ、図３に示すような垂直散水孔となるように、形成した。すなわち、図３に示すような垂直散水孔を形成した。
このとき、図３に示すように、２つのフィン部が鉛直方向に位置するように散水チューブを配置し、通水部１１に通水された状態で、通水部１１の長手方向と垂直な断面において、通水部１１の中心から鉛直方向の下側に延ばした仮想直線に対する角度θが、それぞれ±１５°、±４０°、±７０°となる、２つのシートのそれぞれ所定の位置に、通水部の長手方向に３００ｍｍ間隔となるように、垂直散水孔を穿孔した。
【００９３】
かかる散水孔がそれぞれ形成された２つのシート片を、各シート片の上記一面（Ａ面）側（先細りの先端とは反対の側）が外側、上記他面（Ｂ面）側（先細りの先端側）が内側に位置するように重ね合わせ、幅方向両端部のシール間距離が５３．４ｍｍになるように、両端部をヒートシールすることによって、実施例１の散水チューブを製造した。ヒートシールによって、幅方向両端部にフィン部が形成された。このときのヒートシールのシール幅（フィン部の幅）を、４．５ｍｍとした。こうして製造された散水チューブの内径（直径）は、通水部に水を注加したとき、３４ｍｍφであった。また、散水孔は、通水部の内部に通水されている状態で、各散水孔の内周面が通水部の外側から内側に向かう程先細りになるように形成された。
【００９４】
形成された各垂直散水孔は、通水部の内側開口の孔径が、０．４０ｍｍ、外側開口の孔径が０．６５ｍｍであった。
【００９５】
（比較例１）散水チューブの製造
実施例１で得られた未穿孔の２つのシート片に、各シート片の一面（Ａ面）側から他面（Ｂ）側に向かって内周面が先細りとなるように、且つ、垂直散水孔となるように、形成した。
このとき、２つのフィン部が水平方向に位置するように散水チューブを配置し、通水部に通水された状態で、通水部の長手方向と垂直な断面において、通水部の中心から鉛直方向の下側に延びる仮想直線に対する角度が、±１５°、±４０°、±７０°となる、２つのシートのそれぞれ所定の位置に、通水部の長手方向に３００ｍｍ間隔で、垂直散水孔を穿孔した。
【００９６】
かかる散水孔がそれぞれ形成された２つのシート片を、各シート片の上記一面（Ａ面）側（先細りの先端とは反対の側）が外側、上記他面（Ｂ面）側（先細りの先端側）が内側に位置するように重ね合わせ、幅方向両端部のシール間距離が５３．４ｍｍになるように、両端部をヒートシールすることによって、比較例１の散水チューブを製造した。ヒートシールによって、幅方向両端部にフィン部が形成された。このときのヒートシールのシール幅（フィン部の幅）を、４．５ｍｍとした。こうして製造された散水チューブの内径（直径）は、通水部に水を注加したとき、３４ｍｍφであった。
【００９７】
形成された各垂直散水孔は、通水部の内側開口の孔径が、０．４０ｍｍ、外側開口の孔径が０．６５ｍｍであった。
すなわち、散水チューブが設置された状態で、２つのフィン部が水平に配置される点では実施例１と異なるが、散水孔の位置が実施例１と同じとなるように、比較例１の散水チューブを製造した。
【００９８】
（実施例２）散水チューブの製造
実施例１で得られた、垂直散水孔が形成されたシート片を、各シート片の上記一面（Ａ面）側（先細りの先端とは反対の側）が内側、上記他面（Ｂ面）側（先細りの先端側）が外側に位置するように重ね合わせたこと以外は、実施例１と同様にして、実施例２の散水チューブを製造した。
形成された各垂直散水孔は、通水部の内側開口の孔径が、０．６５ｍｍ、外側開口の孔径が０．４０ｍｍであった。
また、散水孔は、通水部の内部に通水されている状態で、各散水孔の内周面が通水部の内側から外側に向かう程先細りになるように形成された。
【００９９】
（散水チューブの設置）
【０１００】
長さ５０ｍの農業用ハウスの頂上部（外側のシート部材の頂上部、地面からの高さ３００ｃｍ）の内側に配されたパイプに、長手方向に１ｍ間隔で設けられた懸吊用治具を介して、外側のシート部材の頂上部から約３０ｃｍ下方の位置に、２つのフィン部が鉛直方向に沿い（２つのフィン部を結ぶ仮想直線が鉛直方向に平行となり）、且つ、通水部の中心よりも下側に散水孔が位置するように、実施例１及び実施例２の散水チューブを設置した。その後、散水チューブの下側に、内側のシート部材（内張りのシート部材）を、その頂上部の高さが地面から２００ｃｍとなるように設置した。
【０１０１】
一方、２つのフィン部が水平方向に沿い（２つのフィン部を結ぶ直線が水平方向に平行となり）、通水部の中心よりも上側に散水孔が位置するようにすること以外は、実施例１及び実施例２の散水チューブと同様にして、比較例１の散水チューブを設置し、散水チューブの下側に、内側のシート部材を設置した。
【０１０２】
設置された各散水チューブの状態を、表１に示す。
なお、表１において、２つのフィン部が鉛直方向に沿うように設置した場合、その設置方向を「縦」と示し、２つのフィン部が水平方向に沿うように設置した場合、その設置方向を「横」と示す。
さらに、各散水チューブの製造に用いた２つのシート片について、重ね合わせた２つのシート片の外面の組み合わせとして、Ａ面側（先細りの先端とは反対の側）が共に外側に位置する場合を、「Ａ／Ａ」と示し、Ｂ面側（先細りの先端側）が共に外側に位置する場合を、「Ｂ／Ｂ」と示す。
【０１０３】
（試験例）
上記のように農業用ハウスに設置された各散水チューブを用いて、２月から３月までの１カ月間にわたって、夜間（１６時〜翌朝７時まで）に散水し、それ以外の昼間に散水を停止することを、繰り返した。
そして、この試験の終了後、この期間中に、散水孔に詰まりが生じたか否か、熱融着が生じたか否か、通水部が破裂したか否かを、調べた。結果を表１に示す。
また、農業用ハウスの中央付近の高さ約１ｍの位置に温度記録計を設置することによって、農業用ハウス内の温度を調べた。
外気温が最も下がった試験終盤の２月２５日〜２月２６日にかけての、各散水チューブを設置した農業用ハウスの温度推移を図７に示す。
【０１０４】
【表１】
2019054776.tif 000003
【０１０５】
散水チューブを縦置きにした実施例１、２は、横置きにした比較例１と比較して、熱融着が抑制された。また、目詰まりも少ないことから、夜間の保温性に優れることが分かった。さらに、散水孔が通水部の内側から外側に向かう程広がっている（外側から内側に向かう程先細りの）実施例１の散水チューブは、散水孔が通水部の内側から外側に向かう程狭くなっている（内側から外側に向かう程先細りの）実施例２の散水チューブと比較して、目詰まりが少ないことから、夜間の保温性に優れることが分かった。
【符号の説明】
【０１０６】
１：農業用ハウス、３：天井、５：内側のシート部材、５ａ：上部（内側のシート部材の天井）、７：外側のシート部材、７ａ：上部（外側のシート部材の天井）、９：懸吊用治具、１０：散水チューブ、１１：通水部、１３：散水孔、１３ａ：垂直散水孔、１５、１５ａ：内周面、１７：原反シート、２１：フィン部
【図１】
2019054776.tif 000004
【図２】
2019054776.tif 000005
【図３】
2019054776.tif 000006
【図４】
2019054776.tif 000007
【図５】
2019054776.tif 000008
【図６】
2019054776.tif 000009
【図７】
2019054776.tif 000010